(57)【要約】      （修正有）【課題】プラークの除去性能やマッサージ効果などの歯間清掃具としての機能を向上可能な歯間清掃具を提供する。【解決手段】芯基材部１２と清掃用軟質部２１とで歯間清掃用の清掃部２を構成した歯間清掃具であって、清掃用軟質部２１は、芯基材部１２に被覆される被覆部２１ａと、被覆部２１ａから外方へ突出する複数の清掃用突起部２１ｂ、２１ｃとを有し、隣接する清掃用突起部のうちの、ハンドル部の指による摘み方向と略直交する基準面ＢＳに沿って配置される第１清掃用突起部２１ｂと、それ以外の第２清掃用突起部２１ｃとで長さを相違させた。【選択図】図６
2017000570.tif 000002
【特許請求の範囲】
【請求項１】
合成樹脂からなる基材部と、前記基材部の少なくとも一部を被覆するエラストマからなる軟質部とを備え、前記基材部は、ハンドル基材部と、前記ハンドル基材部の先端部に連設した細長い軸状の芯基材部とを有し、前記軟質部は、前記芯基材部を被覆する清掃用軟質部を少なくとも有し、前記ハンドル基材部で持ち手としてのハンドル部を構成し、前記芯基材部と清掃用軟質部とで歯間清掃用の清掃部を構成した歯間清掃具であって、
前記清掃用軟質部は、前記芯基材部に被覆される被覆部と、前記被覆部から外方へ突出する複数の清掃用突起部とを有し、
前記清掃用突起部のうちの、前記ハンドル部の指による摘み方向と略直交する基準面に沿って配置される第１清掃用突起部と、それ以外の第２清掃用突起部とで形態を相違させた、
ことを特徴とする歯間清掃具。
【請求項２】
前記第１清掃用突起部の突出長さを、それに隣接する第２清掃用突起部の突出長さよりも長く設定した請求項１記載の歯間清掃具。
【請求項３】
前記第１清掃用突起部を、前記清掃部の長さ方向に長さを有する板状に構成した請求項１又は２記載の歯間清掃具。
【請求項４】
前記第１清掃用突起部の先端部に膨出部を形成した請求項１〜３のいずれか１項記載の歯間清掃具。
【請求項５】
前記第２清掃用突起部を、前記基準面と直交する方向に突出状に形成した請求項１〜４のいずれか１項記載の歯間清掃具。
【請求項６】
前記ハンドル部に指による摘み面を形成した請求項１〜５のいずれか１項記載の歯間清掃具。
【請求項７】
前記ハンドル部を、前記摘み方向に薄肉な扁平形状に形成した請求項１〜６のいずれか１項記載の歯間清掃具。
【請求項８】
前記基準面が、前記軟質部を成形する金型の合わせ面からなる請求項１〜７のいずれか１項記載の歯間清掃具。
【発明の詳細な説明】
【技術分野】
【０００１】
本発明は、エラストマで被覆した清掃部を有する歯間清掃具に関するものである。
【背景技術】
【０００２】
歯間清掃具として、合成樹脂からなる基材部と、エラストマからなる軟質部とを備え、前記基材部は、ハンドル基材部と、前記ハンドル基材部の先端部に設けた細長い軸状の芯基材部とを有し、前記軟質部は、前記芯基材部を被覆する清掃用軟質部を少なくとも有し、前記ハンドル基材部で持ち手としてのハンドル部を構成し、前記芯基材部と清掃用軟質部とで歯間清掃用の清掃部を構成し、前記清掃用軟質部として、前記芯基材部を被覆する被覆部と、前記被覆部から外方へ突出する複数の清掃用突起部とを有するものが実用化されている（例えば、特許文献１〜５参照。）。
【０００３】
前記歯間清掃具の製造方法としては、第１金型の第１成形空間に合成樹脂材料を充填して基材部を製作し、第１金型にて成形した基材部を第２金型の第２成形空間にセットして、第２金型の第１型と第２型とに、第２成形空間の長さ方向（芯基材部の軸方向）に間隔をあけて対面状に設けた複数組の保持ピンで、芯基材部を第２成形空間の中央部に位置決め保持した状態で、第２成形空間にエラストマ材料を充填して軟質部を成形することで、歯間清掃具を得るようになした製造方法が広く採用されている。
【先行技術文献】
【特許文献】
【０００４】
【特許文献１】特許第４２３６５７１号公報
【特許文献２】特許第３００２６６８号公報
【特許文献３】特表２００１−５０６５１４号公報
【特許文献４】特開２０１３−１９２８６６号公報
【特許文献５】特開２０１３−１８８２９９号公報
【発明の概要】
【発明が解決しようとする課題】
【０００５】
ところで、従来の歯間清掃具では、歯間への挿入性を向上するため、清掃用突起部の突出長さを、清掃用軟質部の先端側へ行くにしたがって短くなるように構成したものは実用化されているが、指によるハンドル部の摘み方向と略直交する基準面に沿って突出状に設けた第１清掃用突起部と、指によるハンドル部の摘み方向に突出状に設けた第２清掃用突起部の２種類の清掃用突起部とで形態を相違させたり、第２金型の合わせ面に沿って突出状に設けた第１清掃用突起部と、第２金型の型開閉方向に突出状に設けた第２清掃用突起部の２種類の清掃用突起部とで形態を相違させたりしたものは提案されていなかった。
【０００６】
本発明の目的は、プラークの除去性能やマッサージ効果などの歯間清掃具としての機能を向上可能な歯間清掃具を提供することである。
【課題を解決するための手段】
【０００７】
本発明者は、ハンドル部が例えば扁平な形状であれば、指で摘まんで歯間を清掃するときに、歯間乳頭側と歯間の隣接面側に配置される清掃用突起部が特定できることに着目し、ハンドル部の指による摘み方向と略直交する基準面に沿って配置される第１清掃用突起部として、歯間の上下部に適合した形態のものを採用することで、プラークの除去性能（清掃性）やマッサージ効果などの歯間清掃具としての機能を向上できるとの発想を得て本発明を完成するに至った。特に、第２金型の合わせ面が前記基準面である場合には、第２金型の合わせ面に沿って突出状に設けられる第１清掃用突起部は、第２金型の型開閉方向に突出状に設けられる第２清掃用突起部と比較して、その形状や寸法などの形態に対する設計自由度が高いので、歯間清掃具の成形性が低下したり、金型構造が複雑になったりすることを防止しつつ、プラークの除去性能やマッサージ効果などを向上できるとの発想を得て、本発明を完成するに至った。
【０００８】
本発明に係る歯間清掃具は、合成樹脂からなる基材部と、前記基材部の少なくとも一部を被覆するエラストマからなる軟質部とを備え、前記基材部は、ハンドル基材部と、前記ハンドル基材部の先端部に連設した細長い軸状の芯基材部とを有し、前記軟質部は、前記芯基材部を被覆する清掃用軟質部を少なくとも有し、前記ハンドル基材部で持ち手としてのハンドル部を構成し、前記芯基材部と清掃用軟質部とで歯間清掃用の清掃部を構成した歯間清掃具であって、前記清掃用軟質部は、前記芯基材部に被覆される被覆部と、前記被覆部から外方へ突出する複数の清掃用突起部とを有し、前記清掃用突起部のうちの、前記ハンドル部の指による摘み方向と略直交する基準面に沿って配置される第１清掃用突起部と、それ以外の第２清掃用突起部とで形態を相違させたものである。
【０００９】
この歯間清掃具では、ハンドル部の指による摘み方向と略直交する基準面に沿って第１清掃用突起部が形成されているので、ハンドル部を指で摘まんで歯間を清掃するときに、第１清掃用突起部が歯間空隙の上側と下側とに自然に配置されることになる。このため、第１清掃用突起部の形態を調整することで、隣接する歯の隣接面、歯間空隙、歯肉溝、歯周ポケット、歯頚部などにおけるプラーク除去性能（清掃性）を向上できるとともに、歯間乳頭のマッサージ効果を向上できる。
【００１０】
ここで、前記第１清掃用突起部の突出長さを、それに隣接する第２清掃用突起部の突出長さよりも長く設定することが好ましい実施の形態である。前述のように、歯間清掃時、第１清掃用突起部は、歯間空隙の上側及び下側へ向けて突出状に配置されるので、第１清掃用突起部の突出長さを長くすることで、歯間空隙の上部及び下部の隅々まで第１清掃用突起部を到達させて、第１清掃用突起部によるプラーク除去性能、マッサージ効果などを一層向上できる。
【００１１】
前記第１清掃用突起部を、前記清掃質部の長さ方向に長さを有する板状に構成することが好ましい実施の形態である。このように構成することで、第１清掃用突起部を歯表面や歯肉に対して面的に接触できるので、第１清掃用突起部によるプラーク除去性能、マッサージ効果などをより一層向上できる。
【００１２】
前記第１清掃用突起部の先端部に膨出部を形成することが好ましい実施の形態である。このように構成すると、膨出部による掻き出し効果により、プラーク除去性能及びマッサージ効果をより一層向上できる。
【００１３】
前記第２清掃用突起部を、前記基準面と直交する方向に突出状に形成することが好ましい実施の形態である。
【００１４】
前記ハンドル部に指による摘み面を形成することが好ましい実施の形態である。このように摘み面を形成すると、ハンドル部を親指と人差指間に摘まんで歯間を清掃するときに、第１清掃用突起部が略上下方向に自然に配置されるので好ましい。なお、利用者に摘み面を案内するため、摘み面を指に沿った湾曲状の凹面で構成したり、摘み面に滑り止め用の微細な凹凸を形成したり、摘み面をエラストマで構成したりすることが好ましい。
【００１５】
前記ハンドル部を、前記摘み方向に薄肉な扁平形状に形成することが好ましい実施の形態である。このように構成すると、ハンドル部を親指と人差指間に摘まんで歯間を清掃するときに、第１清掃用突起部が略上下方向に自然に配置されるので、一方の第１清掃用突起部により歯間の隣接面付近を効率的に清掃でき、他方の第１清掃用突起部により、歯肉溝、歯周ポケットなどを効率的に清掃できるとともに、歯間における歯頚部に付着したプラークを効率的に除去でき、しかも歯間乳頭を効果的にマッサージすることができる。
【００１６】
前記基準面が、前記軟質部を成形する金型の合わせ面からなる請求項１〜６のいずれか１項記載の歯間清掃具。また、この歯間清掃具を製造する際には、第１金型の第１成形空間に合成樹脂材料を充填して基材部を成形し、第１金型にて成形した基材部を第２金型の第２成形空間にセットして、第２成形空間にエラストマ材料を充填して軟質部を成形することになるが、第１清掃用突起部は、その成形時に軟質部を成形する金型の合わせ面に沿って配置されているので、第１清掃用突起部以外の第２清掃用突起部と比較して金型からの離型が容易で、設計自由度が高く、歯間清掃具の成形性が低下したり、金型構造が複雑になったりすることを防止できる。なお、この第２金型が、軟質部を成形する金型に相当する。
【発明の効果】
【００１７】
本発明に係る歯間清掃具によれば、ハンドル部を指で摘まんで歯間を清掃するときに、第１清掃用突起部が歯間空隙の上側と下側とに自然に配置されるので、第１清掃用突起部の形態を調整することで、隣接する歯の隣接面、歯間空隙、歯肉溝、歯周ポケット、歯頚部などにおけるプラーク除去性能を向上できるとともに、歯間乳頭のマッサージ効果を向上できる。
【図面の簡単な説明】
【００１８】
【図１】歯間清掃具連結体の正面図
【図２】歯間清掃具連結体の（ａ）は正面図、（ｂ）は側面図
【図３】歯間清掃具連結体の連結部付近の正面図
【図４】図３のIV-IV線断面図
【図５】清掃部の（ａ）は正面図、（ｂ）は側面図
【図６】図５（ａ）のVI-VI線断面図
【図７】（ａ）〜（ｄ）は清掃用突起部の横断面図
【図８】他の構成の清掃部の図６相当図
【図９】他の構成の清掃部の図６相当図
【図１０】歯間清掃具の使用方法の説明図
【図１１】他の構成の清掃部の正面図
【図１２】他の構成の清掃部の（ａ）は正面図、（ｂ）は側面図
【図１３】第１金型の説明図
【図１４】第２金型の説明図
【図１５】図１４のXV-XV線断面図
【発明を実施するための形態】
【００１９】
以下、本発明の実施の形態について図面を参照しながら説明する。
＜歯間清掃具＞
本発明の歯間清掃具は、合成樹脂からなる基材部と、エラストマからなる軟質部とを備えている。
【００２０】
基材部を構成する合成樹脂材料としては、ポリプロピレン（ＰＰ）、ポリブチレンテレフタレート（ＰＢＴ）、ポリエチレン、ポリエチレンテレフタレート、ポリシクロヘキシレンジメチレンテレフタレート、飽和ポリエステル樹脂、ポリメタクリル酸メチル、プロピオン酸セルロース、熱可塑性ポリウレタン、ポリアミド、ポリカーボネート、ＡＢＳ（アクリロニトリル・ブタジエン・スチレン）などの熱可塑性合成樹脂材料を採用できる。また、基材部を構成する合成樹脂材料としては、生産性を向上するため融点が１５０℃以上の結晶性を有する熱可塑性合成樹脂材料を採用することが好ましい。特に、ポリプロピレン（ＰＰ）、ポリブチレンテレフタレート（ＰＢＴ）、ポリアミド（ＰＡ）は、基材部１０の折れを防止できることから好ましく、ポリプロピレンは、成形温度が低く、サイクルタイムを短縮して生産性を向上できるとともに、成形設備に対する熱負荷が少ないことから最も好ましい。
【００２１】
基材部を構成する合成樹脂材料に対しては、歯間への挿入時や歯間清掃時における清掃部の折れを防止するため、基材部の撓みを促進可能な板状や粒状のガラスフレーク、マイカ、タルクなどの粉体や、ガラス繊維や炭素繊維やアラミド繊維などの繊維材を添加することができる。
【００２２】
軟質部を構成するエラストマとしては、スチレン系、オレフィン系、ポリアミド系等の熱可塑性エラストマ、シリコンゴム、ウレタンゴム、フッ素ゴム、天然ゴム、合成ゴムなどの熱硬化性エラストマなどを採用できる。特に、基材部を構成する合成樹脂材料との相溶性を有する材料が好ましく、例えば基材部をポリプロピレンで構成する場合には、軟質部をポリオレフィン系エラストマ又はスチレン系エラストマで構成することが好ましい。なお、エラストマとしては、添加材を添加したものを採用することもできる。
【００２３】
次に、歯間清掃具の具体的な形状について図面を参照しながら説明する。
図１〜図６に示すように、歯間清掃具１は、その機能で区別すると、歯間清掃用の清掃部２と、持ち手としてのハンドル部３とを備え、その素材で区別すると、合成樹脂からなる基材部１０と、エラストマからなる軟質部２０とを備えている。この歯間清掃具１は、図１〜図３に示すように、複数個の歯間清掃具１を切り離し可能に並列状に連結してなる歯間清掃具連結体５の形態に製作され、利用者は、歯間清掃具連結体５の一側から順番に歯間清掃具１を連結部１３において切り離して、順次使用することになる。なお、図１では、１０個の歯間清掃具１を並列状に連結して歯間清掃具連結体５を構成したが、歯間清掃具１の連結個数は任意に設定可能である。また、歯間清掃具１を連結しないで、個別に製作することもできる。
【００２４】
（基材部）
基材部１０は、熱可塑性合成樹脂からなり、図１〜図６に示すように、ハンドル部３を構成する扁平な細長い板状のハンドル基材部１１と、ハンドル基材部１１の先端部に連設した細長い軸状の芯基材部１２と、隣接するハンドル基材部１１を切り離し可能に連結する連結部１３とを備えている。
【００２５】
ハンドル基材部１１は、指による摘み方向（図２（ｂ）における矢印Ａで示す方向）に扁平な細長い板状に形成され、ハンドル基材部１１の両面には親指と人差指とでハンドル基材部１１を摘まむための平坦な摘み面１１ａが形成されている。ただし、ハンドル基材部１１としては、指で摘まんで歯間を清掃し易い摘み面を有する扁平な形状であれば、例えば横断面形状がオーバル形状（楕円形、長円形、角丸長方形、卵形、小判形、俵形など）や涙滴形状や多角形などの扁平な棒状に形成することもできる。また、摘み面１１ａを指に沿うように湾曲面で構成したり、摘み面１１ａに滑り止め用の凹凸部を形成したり、摘み面１１ａにエラストマからなる滑り止め部を積層状に設けたりすることもできる。また、この場合には、指によるハンドル基材部１１の摘み方向が明確になるので、ハンドル基材部１１の横断面形状は必ずしも扁平な形状に形成する必要はなく、円形の横断面に構成することも可能である。なお、本実施の形態では、ハンドル部３をハンドル基材部１１のみで構成したが、ハンドル基材部１１と軟質部とで構成する場合には、軟質部を含むハンドル部３の横断面形状を上述のように構成することになる。
【００２６】
ハンドル基材部１１の先端部は芯基材部１２側へ行くにしたがって幅狭に構成されて、芯基材部１２に滑らかに連設されている。ハンドル基材部１１の寸法は、指で摘まんで歯間を清掃し易い寸法であれば任意の寸法に設定でき、図１、図２に示すハンドル基材部１１では、例えば長さＬ１は１０ｍｍ〜２５ｍｍ、幅Ｗ１は４ｍｍ〜８ｍｍ、把持部分の厚さｔ１は１．０ｍｍ〜２．０ｍｍに設定されている。このように、ハンドル基材部１１を薄肉に構成しているので、基材部１０を成形するときに、ハンドル基材部１１の収縮による寸法バラツキを少なくできるとともに、ヒケを防止して、軟質部２０を成形するための第２金型４０、４１への基材部１０の装填不良を防止できる。
【００２７】
芯基材部１２は、略直線状の細長い軸状に形成され、ハンドル基材部１１と芯基材部１２とは略同一軸線状に配置され、芯基材部１２とハンドル基材部１１とは同一平面内に配置されている。芯基材部１２の把持部側には外部に露出する露出部１２ａが形成され、芯基材部１２の先端側部分にはエラストマが被覆されて歯間に挿入可能な芯本体１２ｂが形成され、芯基材部１２は先端側へ行くにしたがって縮径する緩やかなテーパ形状に形成されている。
【００２８】
幅狭に構成されるハンドル基材部１１の先端部側面のアール（湾曲部）の終点から軟質部２０の被覆部２１ａの基端部までの芯基材部１２の露出部１２ａの長さＬ２は、操作性を考慮して、例えば１０ｍｍ〜４０ｍｍ、好ましくは１０ｍｍ〜２５ｍｍに設定され、清掃用軟質部２１の長さＬ３は歯間に対するプラーク除去性能を考慮して、例えば１２ｍｍ〜２２ｍｍに設定されている。挿入性、応力集中の緩和の観点から芯基材部１２の断面形状は円形が好ましいが、オーバル形状や涙滴形状や多角形などの断面形状であっても構わない。
【００２９】
芯基材部１２の中心線に対する芯基材部１２の外面のテーパ形状のなす角度θ１は、歯間への挿入性を考慮して、０．２°〜１．５°に設定されている。芯本体１２ｂの先端側部分の直径は０．４ｍｍ〜０．６ｍｍに設定され、芯本体１２ｂの基端部の直径は０．８ｍｍ〜２．０ｍｍに設定され、また清掃用軟質部２１の被覆部２１ａの先端部分の曲面終端部における直径Ｄは０．５〜１．２ｍｍに設定され、芯本体１２ｂの先端部から少なくとも５ｍｍ以上の芯本体１２ｂの先端側部分を確実に歯間に挿入できるように構成されている。
【００３０】
ただし、芯基材部１２のテーパ形状のなす角度θ１は、芯基材部１２の全長にわたって同じ角度θ１に設定したが、芯基材部１２の先端側へ行くにしたがって連続的或いは段階的に小さくなるように設定することもできる。また、露出部１２ａを全長にわたって同じ直径の軸状に形成し、芯本体１２ｂのみを先端側へ行くにしたがって縮径する緩やかなテーパ形状に形成することもできる。更に、露出部１２ａを省略し、芯本体１２ｂをハンドル基材部１１に直接的に連設することも可能である。
【００３１】
なお、本実施の形態では、ハンドル基材部１１の長手方向に延びる中心線と芯基材部１２の軸線とを略同一軸線状に配置したＩ型の歯間清掃具１に本発明を適用したが、ハンドル基材部１１の中心線と芯基材部１２の軸線とを任意の位置関係に配置した歯間清掃具に対しても本発明を適用でき、例えばハンドル基材部１１の中心線と芯基材部１２の軸線とを間隔をあけて平行配置した歯間清掃具に本発明を適用することもできるし、ハンドル基材部１１の中心線を芯基材部１２の軸線に対して、例えば１２０°の角度を付けて設けた、所謂Ｌ型の歯間清掃具に対しても本発明を適用できる。
【００３２】
図２〜図４に示すように、連結部１３は、隣接するハンドル基材部１１間においてハンドル基材部１１に一体的に形成され、ハンドル基材部１１の基端部側と先端部側とに長手方向に間隔をあけて１対設けられ、図４に仮想線で示すように、境界部１３ａを中心に隣接する歯間清掃具１を相互に重ね合わせる方向へ折り曲げることで、歯間清掃具１を綺麗に且つ容易に切り離すことができるように構成されている。ただし、連結部１３の配設位置や形状や個数は、任意に設定可能である。
【００３３】
（軟質部）
軟質部２０は、図１〜図６に示すように、エラストマ材料を用いて基材部１０に一体的になるよう成形したもので、芯基材部１２に外装した清掃用軟質部２１を備えている。ただし、軟質部２０として、芯本体１２ｂの基端部に歯間への挿入を規制する環状の挿入規制部を設けたり、ハンドル基材部１１に滑り止め部を設けたりすることも可能である。挿入規制部や滑り止め部は、清掃用軟質部２１とは独立に成形することも可能であるが、金型構造が複雑になるので、清掃用軟質部２１の基部に連なるように形成することが好ましい。
【００３４】
清掃用軟質部２１は、芯基材部１２に被覆される被覆部２１ａと、被覆部２１ａから外方へ突出する複数の清掃用突起部であって、ハンドル部３の指による摘み方向（図２（ｂ）における矢印Ａで示す方向）と略直交する基準面ＢＳに沿って配置される第１清掃用突起部２１ｂと、それ以外の第２清掃用突起部２１ｃとを有している。本発明の特徴的な構成は、後述のように、第１清掃用突起部２１ｂと第２清掃用突起部２１ｃとでその形態を相違させた点にある。なお、基準面ＢＳは、任意に設定することも可能であるが、第１清掃用突起２１Ｂの形状に対する設計自由度を向上するため、軟質部２０を成形する第２金型４０、４１の合わせ面４０ａ、４１ａ（図１４参照）を基準面ＢＳとして用いることが好ましい。
【００３５】
被覆部２１ａの肉厚は、厚過ぎると被覆部２１ａに覆われている芯本体１２ｂの直径を小さくする必要が生じるため、歯間への挿入時における清掃部２の剛性が大きく低下するだけでなく、成形時にカルマン渦が発生し易くなったり、カルマン渦の影響を大きく受ける恐れがあるため好ましくなく、薄過ぎると清掃部２の基端部までエラストマ材料を充填できないので好ましくない。このため、被覆部２１ａの肉厚は、０．１ｍｍ〜０．２ｍｍに設定することが好ましい。
【００３６】
第１清掃用突起部２１ｂは、基準面ＢＳに沿って被覆部２１ａの一側方及び他側方（図６では紙面の右方向及び左方向）へ突出状にそれぞれ設けられるとともに、被覆部２１ａの長さ方向に相互に間隔をあけて設けられている。被覆部２１ａの長さ方向に対する第１清掃用突起部２１ｂの配設間隔は、全て同じ間隔に構成することもできるし、一部又は全部を相互に異なる間隔に構成することもでき、例えば被覆部２１ａの先端側へ行くにしたがって狭くなるように構成することができる。
【００３７】
第１清掃用突起部２１ｂの被覆部２１ａからの突出長さＬ４は、清掃部２の先端側へ行くにしたがって段階的に長くなるように構成され、歯間への挿入性を確保するとともに、プラーク除去性能を確保できるように構成されている。ただし、複数の第１清掃用突起部２１ｂの突出長さＬ４は、任意の長さに構成可能で、例えば全て同じ長さに構成することもできるし、清掃部２の長さ方向の途中部が最も長く、両端部側へ行くにしたがって短くなるように構成することもできる。なお、突出長さＬ４とは、第１清掃用突起部２１ｂの長さ方向に対する、第１清掃用突起部２１ｂの先端部と基端部間の距離の最大値を意味する。
【００３８】
第１清掃用突起部２１ｂの基端部の突出方向と直交する横断面形状は、図７（ａ）に示すように円形に形成したり、図７（ｂ）に示すように、オーバル形状（楕円形、長円形、角丸長方形、卵形、小判形、俵形など）や涙滴形状に形成したり、図７（ｃ）（ｄ）に示すように、長方形や六角形などの多角形に形成したりすることができる。オーバル形状や長方形などのように細長い横断面形状の場合には、歯間への挿入性を考慮して、横断面の長手方向を清掃部２の長さ方向に配置することが好ましいが、長さ方向に対して角度を付けて配置することもできる。
【００３９】
第１清掃用突起部２１ｂは、その基端部から先端部側へ行くにしたがって、長手方向と直交する横断面積が連続的或いは段階的に小さくなるように構成した錐状に形成されている。ただし、全長にわたって同じ断面積の柱状に構成することもできるし、先端部側へ行くにしたがって、長手方向と直交する横断面積が連続的或いは段階的に大きくなるように構成した錐状に形成することも可能である。また、図８に示す清掃部２Ａのように、第１清掃用突起部２１ｂの先端部に球状や紡錘形状（フットボール形状）等の膨出部２２を形成して、膨出部２２による掻き出し効果により、プラーク除去性能及びマッサージ効果を向上できるように構成することも好ましい。
【００４０】
第１清掃用突起部２１ｂの具体的な寸法としては、例えば基端部の横断面積は、０．０３ｍｍ２〜１．５ｍｍ２程度に設定することが好ましく、突出長さＬ４は０．５ｍｍ〜２．０ｍｍ程度に設定することが好ましく、総数は２５個〜４５個に設定することが好ましく、清掃部２の長さ方向に対する配設間隔は０．５ｍｍ〜１．５ｍｍに設定することが好ましい。
【００４１】
なお、複数の第１清掃用突起部２１ｂは、基準面ＢＳに沿って配置されていれば、それ以外の構成は任意に設定可能で、例えば被覆部からの２１ａからの突出長さ、清掃部２の長さ方向に沿った縦断面形状及び縦断面寸法、清掃部２の長さ方向と直交する方向の横断面形状及び横断面寸法、清掃部２の長さ方向に対する配設間隔などは任意に設定可能である。
【００４２】
第２清掃用突起部２１ｃは、その成形時に軟質部２０を成形する第２金型４０、４１の型開閉方向に沿って、被覆部２１ａの一側方及び他側方（図６では紙面の上方及び下方）へ、２つ１組として突出状にそれぞれ設けられるとともに、清掃部２の長さ方向に相互に間隔をあけて設けられている。清掃部２の長さ方向に対する第２清掃用突起部２１ｃの配設間隔は、全て同じ長さに構成することもできるし、一部又は全部を相互に異なる間隔に構成することもでき、例えば清掃部２の先端側へ行くにしたがって狭くなるように構成することができる。第１清掃用突起部２１ｂの配設間隔と、第２清掃用突起部２１ｃの配設間隔とは、同じ間隔に構成することもできるし異なる間隔に構成することもできる。なお、符号１４は、芯基材部１２を第２成形空間４２の中央部に保持するための保持ピン５０、５１、５３により形成された清掃部凹部であり、該清掃部凹部１４の形成位置において、第２清掃用突起部２１ｃは省略されている。ただし、２つ１組の第２清掃用突起部２１ｃに代えて、図９に示す清掃部２Ｂのように、１本の第２清掃用突起部２１Ｂｃを、被覆部２１ａから、該被覆部２１ａを成形する第２金型４０、４１の型開閉方向の一側方及び他側方（図９では紙面の上方及び下方）にそれぞれ突出状に設けることもできる。
【００４３】
第２清掃用突起部２１ｃは、清掃部２の先端側へ行くにしたがって、被覆部２１ａからの突出長さＬ５が段階的に長くなるように構成され、歯間への挿入性を確保するとともに、プラーク除去性能を確保できるように構成されている。ただし、複数の第２清掃用突起部２１ｃの突出長さＬ５は、任意の長さに構成可能で、例えば全て同じ長さに構成することもできるし、清掃部２の長さ方向の途中部が最も長く、両端部側へ行くにしたがって短くなるように構成することもできる。なお、突出長さＬ５とは、第２清掃用突起部２１ｃの長さ方向に対する、第２清掃用突起部２１ｃの先端部と基端部間の距離の最大値を意味する。
【００４４】
第２清掃用突起部２１ｃの基端部の突出方向と直交する横断面形状は、第１清掃用突起部２１ｂと同様に、円形、オーバル形状や涙滴形状、長方形や六角形などの多角形に形成できる。オーバル形状や長方形などのように細長い横断面形状の場合には、歯間への挿入性を考慮して、横断面の長手方向を清掃部２の長さ方向に配置することが好ましいが、長さ方向に対して角度を付けて配置することもできる。
【００４５】
第２清掃用突起部２１ｃは、第２金型４０、４１から離型できるように、その基端部から先端部側へ行くにしたがって、長手方向と直交する横断面積が連続的或いは段階的に小さくなるように構成した錐状に形成されている。
【００４６】
第２清掃用突起部２１ｃの具体的な寸法としては、例えば基端部の横断面積は、０．０３ｍｍ２〜１．５ｍｍ２程度に設定することが好ましく、突出長さＬ５は０．２ｍｍ〜２．５ｍｍ程度に設定することが好ましく、総数は２５個〜１２０個に設定することが好ましく、清掃部２の長さ方向に対する配設間隔は０．５ｍｍ〜１．５ｍｍに設定することが好ましい。
【００４７】
なお、第２清掃用突起部２１ｃは、第２金型４０、４１の型開閉方向に配置されていれば、それ以外の構成、例えば長さ、清掃部２の長さ方向に沿った縦断面形状及び縦断面寸法、清掃部２の長さ方向と直交する方向の横断面形状及び横断面寸法、清掃部２の長さ方向及び周方向に対する配設間隔などは任意に設定可能である。
【００４８】
隣接する第１清掃用突起部２１ｂと第２清掃用突起部２１ｃとは、その形態が相互に相違するように構成されている。ただし、隣接する全ての清掃用突起部２１ｂ、２１ｃに関して、その形態を相互に相違させるように構成することもできるし、清掃部２の長さ方向の特定箇所の１乃至複数組の清掃用突起部２１ｂ、２１ｃの構成のみを相互に相違させるように構成することもできる。
【００４９】
具体的には、図６に示すように、隣接する第１清掃用突起部２１ｂと第２清掃用突起部２１ｃとは、第１清掃用突起部２１ｂの被覆部２１ａからの突出長さＬ４が、第２清掃用突起部２１ｃの被覆部２１ａからの突出長さＬ５よりも長くなるように構成されている。
【００５０】
第１清掃用突起部２１ｂの突出長さＬ４と、第２清掃用突起部２１ｃと突出長さＬ５の比Ｌ４／Ｌ５は、任意に設定することができるが、３５０％を超えると、歯間清掃時に第１清掃用突起部２１ｂが破断し易くなり、１２０％未満の場合には、プラーク除去性能の改善効果が十分に得られないので、１２０％〜３５０％、望ましくは１５０％〜３００％に設定することが好ましい。
【００５１】
この歯間清掃具１を使用する際には、通常の歯間清掃具１と同様に、ハンドル部３を指で摘まんで、清掃部２を歯間に挿入し、清掃部２をその長さ方向に微小移動させて、歯間を清掃することになるが、ハンドル基材部１１を扁平形状に形成しているので、親指と人差指とでハンドル基材部１１を摘まんで、清掃部２を口腔内側へ向けると、第１清掃用突起部２１ｂが上下に自然と配置されることになる。一方、第１清掃用突起部２１ｂが第２清掃用突起部２１ｃよりもその突出長さが長いので、歯間清掃時に、突出長さの長い第１清掃用突起部２１ｂが隣接する歯間の接触面ＣＳ側と歯肉ＧＵ側とに上下に配置され、例えば図１０に示すように、上顎の中切歯ＭＴ間を清掃するときに、突出長さの長い第１清掃用突起部２１ｂが隣接する中切歯ＭＴの接触面ＣＳ側と歯肉ＧＵ側とに配置され、歯間空隙の上部及び下部の隅々まで第１清掃用突起部を到達させて、歯間に形成される歯間空隙、歯肉溝、歯周ポケット、歯頚部のプラーク除去性能を向上でき、しかも歯間乳頭のマッサージ効果を向上できる。しかも、基準面ＢＳを、軟質部２０を成形する第２金型４０、４１の合わせ面４０ａ、４１ａで構成すると、第１清掃用突起部２１ｂ以外の第２清掃用突起部２１ｃと比較して、第２金型４０、４１からの離型が容易で、設計自由度が高く、歯間清掃具１の成形性が低下したり、金型構造が複雑になったりすることを防止できる。
【００５２】
なお、前記実施の形態では、隣接する第１清掃用突起部２１ｂと第２清掃用突起部２１ｃの突出長さを相違させたが、突出長さ以外の各部の寸法や、先端部形状、突出方向に沿った縦断面形状や、突出方向と直交する横断面形状などを相違させることもできる。例えば、次のように構成することができる。なお、前記実施の形態と同一の部材には同一の符号を付してその詳細な説明を省略する。
【００５３】
（１）図１１に示す清掃部２Ｃの第１清掃用突起部２１Ｃｂのように、第１清掃用突起部２１Ｃｂの先端側が基端側よりも、清掃部２Ｃの長さ方向の基端側へ傾斜するように、第１清掃用突起部２１Ｃｂを傾斜状に形成することができる。この場合には、歯間への清掃部２Ｃの挿入性を向上できるとともに、第１清掃用突起部２１Ｃｂによる掻き出し効果を向上できる。第１清掃用突起部２１Ｃｂの傾斜角度は任意に設定可能で、第１清掃用突起部２１Ｃｂの先端側が基端側よりも、清掃部２Ｃの長さ方向の先端側へ傾斜するように構成することも可能である。また、傾斜角度の異なる第１清掃用突起部を混在させることもできる。
【００５４】
（２）図１２に示す清掃部２Ｄのように、第１清掃用突起部２１ｂに代えて、長さ方向に間隔をあけて板厚方向に貫通する複数の貫通孔２３を形成した、清掃部２Ｄの長さ方向に細長い板状の第１清掃用突起部２１Ｄｂを設けることもできる。この場合には、第１清掃用突起部２１Ｄｂにより、プラーク除去性能やマッサージ効果などをより一層向上できる。ただし、貫通孔２３としては、円形やオーバル形状や多角形状などの任意の形状の貫通孔を形成することも可能であるし、貫通孔２３は省略することも可能である。
【００５５】
＜製造方法＞
次に、歯間清掃具１の製造方法について説明する。
この歯間清掃具１の製造方法は、図１３に示すように、第１金型３０、３１の第１成形空間３２にランナ３３及びゲート３４を通じて溶融した合成樹脂材料を充填して、基材部１０を成形する基材部成形工程と、図１４、図１５に示すように、清掃部２に適合する形状の第２成形空間４２を有する第２金型４０、４１を用い、この第２金型４０、４１の第２成形空間４２に、第１金型３０、３１にて成形した基材部１０をセットして、３組の保持ピン５０、５１、５３で芯基材部１２を保持した状態で、該第２成形空間４２の清掃用軟質部成形部４６にランナ４７及びゲート４８を通じて溶融したエラストマ材料を充填して、軟質部２０を成形する軟質部成形工程とを備えている。なお、符号３５は、連結部１３を成形する連結部成形部であり、符号４３、４４、４５は、第１金型３０、３１のランナ３３、ゲート３４、連結部成形部３５により成形されたランナ部３６、ゲート部３７、連結部１３を収容する、第２金型４０、４１に形成した嵌合空間である。また、第２金型４０、４１が金型に相当する。
【００５６】
この製造方法は、第２金型４０、４１として、清掃部２に適合する形状の清掃用軟質部成形部４６を有する金型を用いている以外は、従来の製造方法と同様に構成されている。この第２金型４０、４１の清掃用軟質部成形部４６には、図１５に示すように、被覆部２１ａが成形する被覆部成形部４６ａが合わせ面４０ａ、４１ａ間に設けられ、第１清掃用突起部２１ｂを成形する第１清掃用突起部成形部４６ｂが、被覆部成形部４６ａから合わせ面４０ａ、４１ａに沿って側方へ突出状に設けられ、第２清掃用突起部２１ｃを成形する第２清掃用突起部成形部４６ｃが、被覆部成形部４６ａから型開閉方向に沿ってその両側へ突出状に設けられている。
【００５７】
このように、この第２金型４０、４１では、第１清掃用突起部成形部４６ｂが基準面ＢＳとしての合わせ面４０ａ、４１ａに沿って設けられるので、第２金型４０、４１の型開閉方向に沿って設けられる第２清掃用突起部成形部４６ｃと比較して、その形状や寸法などの形態に対する設計自由度が高くなる。このため、成形性を低下させることなく、第１清掃用突起部成形部４６ｂにて成形される第１清掃用突起部２１ｂの形状をプラーク除去性能やマッサージ性能が向上するような形状に構成することで、プラーク除去性能やマッサージ性能を向上できる。
【００５８】
以上、本発明の実施形態について説明したが、本発明は前述した実施形態に何ら限定されるものではなく、本発明の要旨を逸脱しない範囲においてその構成を変更し得ることは勿論である。
【符号の説明】
【００５９】
１      歯間清掃具
２      清掃部
３      ハンドル部
５      歯間清掃具連結体
１０    基材部
１１    ハンドル基材部
１１ａ  摘み面
１２    芯基材部
１２ａ  露出部
１２ｂ  芯本体
１３    連結部
１３ａ  境界部
１４    清掃部凹部
２０    軟質部
２１    清掃用軟質部
２１ａ  被覆部
２１ｂ  第１清掃用突起部
２１ｃ  第２清掃用突起部
２Ａ    清掃部
２２    膨出部
２Ｂ      清掃部
２１Ｂｃ  清掃用突起部
２Ｃ      清掃部
２１Ｃｂ  清掃用突起部
２Ｄ      清掃部
２１Ｄｂ  清掃用突起部
２３    貫通孔
３０    第１金型
３１    第１金型
３２    第１成形空間
３３    ランナ
３４    ゲート
３５    連結部成形部
３６    ランナ部
３７    ゲート部
４０    第２金型
４０ａ  合わせ面
４１    第２金型
４１ａ  合わせ面
４２    第２成形空間
４３    嵌合空間
４４    嵌合空間
４５    嵌合空間
４６    清掃用軟質部成形部
４６ａ  被覆部成形部
４６ｂ  第１清掃用突起部成形部
４６ｃ  第２清掃用突起部成形部
４７    ランナ
４８    ゲート
５０    保持ピン
５１    保持ピン
５２    保持ピン
ＧＵ    歯肉
ＭＴ    中切歯
【図１】
2017000570.tif 000003
【図２】
2017000570.tif 000004
【図３】
2017000570.tif 000005
【図４】
2017000570.tif 000006
【図５】
2017000570.tif 000007
【図６】
2017000570.tif 000008
【図７】
2017000570.tif 000009
【図８】
2017000570.tif 000010
【図９】
2017000570.tif 000011
【図１０】
2017000570.tif 000012
【図１１】
2017000570.tif 000013
【図１２】
2017000570.tif 000014
【図１３】
2017000570.tif 000015
【図１４】
2017000570.tif 000016
【図１５】
2017000570.tif 000017